(57)【特許請求の範囲】
【請求項１】
以下の工程：
放射性セシウム汚染土壌を水と混合し、一定時間静置し、濁水中に含まれる粒径４５μｍ以下の細粒土と、沈殿物としての粒径４５μｍ超えの粗粒土とに分離する分離工程；及び
該沈殿物から該放射性セシウムを酸性薬液で抽出して、洗浄粗粒土を得る抽出工程；
を含む放射性セシウム汚染土壌の洗浄方法。
【請求項２】
前記酸性薬液は３％硝酸水溶液である請求項１に記載の方法。
【請求項３】
前記抽出工程における粗粒土（乾燥質量）：３％硝酸水溶液の固液比は1:5〜1:21の範囲内にある請求項２に記載の方法。
【請求項４】
前記抽出工程における抽出時間は１０〜４５分間である請求項２又は３に記載の方法。
【請求項５】
前記抽出工程は２０〜９０℃の温度範囲で行う請求項２〜４のいずれか１項に記載の方法。
【請求項６】
前記酸性薬液は、0.5mol/LのH2SO4、HNO3又はHClであり、前記抽出工程における抽出温度は90℃であり、前記抽出工程における粗粒土（乾燥質量）：前記酸性薬液の固液比は1:21であり、そして前記放射性セシウム汚染土壌と最終的に得られる洗浄粗粒土との関係において定義するＣｓ除去率が９５％以上である、請求項１に記載の方法。
【発明の詳細な説明】
【技術分野】
【０００１】
本発明は、放射性セシウム汚染土壌の洗浄方法に関する。
【背景技術】
【０００２】
平成２３年３月１１日の東北地方太平洋沖地震に伴い発生した東京電力福島第一原子力発電所の事故により、さまざまな場所で放射性セシウムが検出されており、大量の汚染土壌を処理する必要に迫られている。
以下の非特許文献１に記載されるように、高濃度の酸を用いて土壌から放射性セシウムを抽出できることは知られているが、取扱いが難しいことや、酸の再利用が困難でコストが高い等の問題があると記載されている。また、非特許文献１には、セシウム汚染土壌を０．５ｍｏｌ／Ｌの希硝酸と９５℃で混合した場合、固液比２００で抽出率が約８８％となり、固液比を増加させると、セシウムイオンの抽出率が劇的に向上すること、また抽出温度を２００℃に上げた場合、ほぼ完全にセシウムイオンを抽出できたことが記載されている。
しかしながら、非特許文献１では、セシウム汚染土壌は細粒土と粗粒土に分離されておらず、そのままで酸によるセシウム抽出がなされている。
【０００３】
以下の非特許文献２には、汚染土壌からの放射性セシウム134Ｃｓ、137Ｃｓ抽出に適した薬剤について記載されており、水、食用酢、ＫＩ、ＮＨ４ＣＯＯＨ、ＮＨ４Ｃｌ、ＮＨ４Ｆ、ＮａＨＣＯ３、ＣｓＩ水溶液の内、常温及び９０℃で１００時間放置した場合の抽出率は、ＫＩ水溶液が、134Ｃｓと137Ｃｓについて、それぞれ３４％と３７％と最も高かったことが記載されている。
【０００４】
以下の非特許文献３には、放射性セシウム吸着土壌からの半導体洗浄剤等によるセシウム解離が試みられたが、塩基性薬剤、有機酸及び弱酸性薬剤のほか、殆どの薬剤では粘度成分から放射性セシウムを溶出させることはできず、効果的な溶出がみられるのは、塩酸、フッ化水素、硫酸等、無機酸が一定濃度以上存在する場合だけであったことが記載されている。
【０００５】
以下の非特許文献４には、放射性セシウムの土壌中の挙動について説明されており、除染方法として、深さ５ｍｍの層を取った土に、水を加えてかき回し、粘土が沈殿する前に、そして粗い粒子が先に沈殿した後（約３０秒後）に上澄み液を取り去った土は、放射能が、元の土の４分の１になり、さらに、２回洗浄したところ、２５分の１になったことが報告されている。また、粘土が沈殿して分離した上澄み液には、放射能は含まれていなかったこと、放射能が低い汚染土壌の場合には、かかる処理の後、そのまま元の場所に戻すことができ、放射能が非常に高い場合には、土中の砂の粒子の表面に放射性セシウムがまだ付いているので、砂粒子同士をすり合せて表面を削り取ることにより放射性セシウムを落とし、それでも落ちない場合には、希硝酸で表面を処理し、懸濁液を回収し、それを濾過して洗浄土を得ることができると記載されている。
また、非特許文献４には、粒径が３０μｍ以下の粘土にセシウムは多く付いており、放射性セシウムは粘土の表面に付着しているので、粘土の細分化による、非放射性粘土と放射性粘土の分離による放射性セシウムの高濃度化が提案されている。
非特許文献４には、径が３０μｍ以下の粘土をデカンテーションにより取り除くことを繰り返せば、放射性セシウム汚染土壌を洗浄することができることが教示されているが、希硝酸を使用する場合の温度や固液比については、何も示唆されていない。
【０００６】
このように、放射性セシウム汚染土壌を効率的に洗浄する方法は今日まで確立されておらず、さらに効率的に洗浄土を回収する方法を提供する必要性が未だ在る。
【先行技術文献】
【非特許文献】
【０００７】
【非特許文献１】産総研プレスリリース「土壌中のセシウムを低濃度の酸で抽出することに成功」２０１１年８月３１日発表。
【非特許文献２】福田美陽ら、日本放射線安全管理学会第１０回学術大会（東京工業大学、２０１１.１１．３０−２０１１．１２．２）講演予稿集Ｐ１１「福島第一原子力発電所事故による汚染土壌からのセシウム抽出」
【非特許文献３】宮倉悟ら、日本放射線安全管理学会第１０回学術大会（東京工業大学、２０１１.１１．３０−２０１１．１２．２）講演予稿集Ｐ１８「放射性セシウム吸着土壌からの半導体洗浄剤等によるセシウム解離の試み」
【非特許文献４】東北大学大学院工学研究科、石井慶造、第３４回原子力委員会資料第１号「水洗浄による放射性セシウム汚染土壌の除染方法について」、原子力委員会定例会議平成２３年９月６日１０：００〜
【発明の概要】
【発明が解決しようとする課題】
【０００８】
本発明が解決しようとする課題は、放射性セシウム汚染土壌から放射性セシウムを効率的に除去することができる方法を提供することである。
【課題を解決するための手段】
【０００９】
本発明者らは、上記課題を解決するために鋭意研究し実験を重ねた結果、放射性セシウム汚染土壌を細粒土と粗粒土とにまず分離し、その後、粗粒土を酸性薬液で抽出することにより、放射性セシウムが除去された洗浄土を効率的に回収することがきることを見出し、本発明を完成するに至った。
すなわち、本発明は以下の通りである。
【００１０】
［１］以下の工程：
放射性セシウム汚染土壌を水と混合し、一定時間静置し、濁水中に含まれる粒径４５μｍ以下の細粒土と、沈殿物としての粒径４５μｍ超えの粗粒土とに分離する分離工程；及び
該沈殿物から該放射性セシウムを酸性薬液で抽出して、洗浄粗粒土を得る抽出工程；
を含む放射性セシウム汚染土壌の洗浄方法。
【００１１】
［２］前記酸性薬液は３％硝酸水溶液である前記［１］に記載の方法。
【００１２】
［３］前記抽出工程における粗粒土（乾燥質量）：３％硝酸水溶液の固液比は１：５．３〜１：２１の範囲内にある前記［２］に記載の方法。
【００１３】
［４］前記抽出工程における抽出時間は１０〜４５分間である前記［２］又は［３］に記載の方法。
【００１４】
［５］前記抽出工程は２０〜９０℃の温度範囲で行う、前記［２］〜［４］のいずれかに記載の方法。
【００１５】
［６］前記酸性薬液は、0.5mol/LのH2SO4、HNO3又はHClであり、前記抽出工程における抽出温度は90℃であり、前記抽出工程における粗粒土（乾燥質量）：前記酸性薬液の固液比は1:21であり、そして前記放射性セシウム汚染土壌と最終的に得られる洗浄粗粒土との関係において定義するＣｓ除去率が９５％以上である、前記［１］に記載の方法。
【発明の効果】
【００１６】
放射性セシウム汚染土壌から、約２０％の質量比で存在する細粒土を取り除けば、放射性セシウムの８０％を除去でき、さらに、約８０％の質量比で存在する粗粒土中の残存放射性セシウム２０％を酸性薬液で一定条件下で抽出することにより、全体として、放射性セシウムが約９０％以上除去された約８０質量％の洗浄土を回収することができる。
【図面の簡単な説明】
【００１７】
【図１】実施例１における洗浄手順を示すフローチャートである。
【図２】実施例２における洗浄手順を示すフローチャートである。
【図３】実施例３における洗浄手順を示すフローチャートである。
【図４】実施例４における洗浄手順を示すフローチャートである。
【図５】実施例５における洗浄手順を示すフローチャートである。
【図６】参考例における洗浄手順を示すフローチャートである。
【図７】固液比とＣｓ抽出率との関係を示すグラフである。
【図８】抽出時間とＣｓ抽出率との関係を示すグラフである。
【図９】実施例６における洗浄手順を示すフローチャートである。
【図１０】抽出温度とＣｓ抽出率との関係を示すグラフである。
【図１１】実施例７における洗浄手順を示すフローチャートである。
【図１２】実施例８における洗浄手順を示すフローチャートである。
【図１３】実施例９における洗浄手順を示すフローチャートである。
【図１４】実施例１０における洗浄手順を示すフローチャートである。
【図１５】酸性薬液種とＣｓ抽出率との関係を示すグラフである。
【図１６】H2SO4濃度とＣｓ抽出率との関係を示すグラフである。
【図１７】実施例１１における洗浄手順を示すフローチャートである。
【図１８】実施例１２における洗浄手順を示すフローチャートである。
【図１９】実施例１３における洗浄手順を示すフローチャートである。
【図２０】実施例１４における洗浄手順を示すフローチャートである。
【発明を実施するための形態】
【００１８】
以下、本発明を詳細に説明する。
本発明は、以下の工程：
放射性セシウム汚染土壌を水と混合し、一定時間静置し、濁水中に含まれる粒径４５μｍ以下の細粒土と、沈殿物としての粒径４５μｍ超えの粗粒土とに分離する分離工程；及び
該沈殿物から該放射性セシウムを酸性薬液で抽出して、洗浄粗粒土を得る抽出工程；
を含む放射性セシウム汚染土壌の洗浄方法である。
本明細書中、用語「土壌」とは、例えば、粒子径が略１〜２０，０００ミクロンである岩石破片粒子の集合体であり、通常、粘土、含有水を含んで塊状になって存在しているものといい、汚染土壌、畑砂、建築廃材のような固形で塊状の物質等を広く包含する。
【００１９】
本明細書中、用語「放射性セシウム」とは、半減期３０年の137Ｃｓと半減期２年の134Ｃｓであり、放射能の存在比は、１．０：０．８２である。これらの放射性セシウムからはベータ線とガンマ線が放出される。非特許文献２には、137Ｃｓと134ＣｓのＫＩ水溶液等による抽出率はほぼ同等であったと記載されている。Ｃｓ＋は、２：１型層状ケイ酸塩と呼ばれ、薄いシート状の層が積み重なり、層と層の間に負電荷をもつ粘土鉱物にきわめて強く固定され、他の陽イオンによって簡単に置き換えることができなくなると記載されている。その固定（結合）力はＫ＋＜ＮＨ４＋＜Ｃｓ＋の順に大きくなるとも記載されている。
【００２０】
本明細書中、「放射性セシウム汚染土壌を水と混合し、一定時間静置する」際の「混合」手段は特に限定されない。例えば、トロンメルや、コンクリートミキサーで土壌と水を混合する手段も包含される。「静置」は、例えば、バケツ等の容器に上記コンクリートミキサーからの混合物を入れ、一定時間経過後、放置すればよい。但し、混合手段によっては、かかる静置のための「一定時間」は限りなくゼロに近いものであることができる。
本発明に係る方法は、「濁水中に含まれる粒径４５μｍ以下の細粒土と、沈殿物としての粒径４５μｍ超えの粗粒土とに分離する分離する工程」を含む。以下、実施例中の「試験手順」で述べるように、「（１）ビーカーに試料土壌と純水を入れ、ゆっくり手で振り３０秒間、穏やかに攪拌する。１分間静置し、濁水を除去し、その後、（２）上記（１）を１０回繰り返し（細粒土を除去し）、得られた試料土壌を粗粒土とする。」。この濁水には、粒径４５μｍ以下の細粒土が主に含まれ、濁水を除去した後の沈殿物には粒径４５μｍ超えの粗粒土が主に含まれていることが経験的に分かっている。したがって、本明細書中、用語「細粒土」とは、放射性セシウム汚染土壌を水と混合し、一定時間静置した後の濁水中に含まれる粒径４５μｍ以下の細粒土を意味し、「粗粒土」とは、沈殿物としての粒径４５μｍ超えの粗粒土を意味する。
尚、「放射性セシウム汚染土壌」は、現場から直接採取した土壌であるか、何らかの前処理を施した土壌のいずれをも包含する。
【００２１】
本発明に係る方法は、「沈降物から放射性セシウムを酸性薬液で抽出して、洗浄粗粒土を得る抽出工程」を含む。かかる抽出工程における「抽出」手段は特に限定されない。
【００２２】
本明細書中、用語「酸性薬液」は酸性を呈する薬液であれば特に限定されないが、例えば、硫酸、塩酸、硝酸、これらの塩、具体的には、３％硝酸水溶液であることができる。Ｃｓ除去率を全体として高めるためには、Ｃｓ抽出率が７０％付近であり、ｐＨが０．４付近である硫酸、硝酸、塩酸を酸性薬液として使用することが好ましい。
【００２３】
前記抽出工程においては、粗粒土（乾燥質量）：３％硝酸水溶液の固液比は、１：５．３〜１：２１の範囲内にあることができ、抽出時間は、１０〜４５分間であることができ、そして２０〜９０℃の温度範囲での抽出であることができる。尚、「粗粒土（乾燥質量）」とは、以下の［試験手順］において、粗粒土の含水率を測定した後に、含有される水分を差し引いた質量をいう。例えば、図１を参酌すれば、粗粒土の土量は０．１９ｋｇ−ｄｒｙであり、３％硝酸は４０００ｇであるので、固液比は１：２１である。
【００２４】
以下の実施例により詳細に説明するが、本発明に係る方法においては、放射性セシウム汚染土壌から、約２０％の質量比である細粒土を取り除けば、放射性セシウムの８０％を除去することができ、さらに、約８０％の質量比である粗粒土中の残存放射性セシウム２０％を酸性薬液で一定条件下で抽出することにより、全体として、放射性セシウムが約９０％以上除去された約８０質量％の洗浄土を回収することができる。ここで、取り除かれた約２０％の質量比である細粒土は、回収され、さらに処理されるか、又は最終処分されることができる。また、混合工程、抽出工程、及びその後の任意的水洗工程で使用した廃液は、さらに処理され、該処理後の廃液は放流され、凝集した汚染物質（脱水ケーキ）は最終処分されることができる。
【００２５】
以下、参考例に示すように、粗粒土と細粒土の分離工程を経ずに、放射性セシウム汚染土壌を酸性薬液で同条件下で抽出した場合、全体として、放射性セシウム汚染土壌中のＣｓの除去率は、固液比２１の場合、４２％、固液比５．３の場合、２４％となったため、本発明に係る方法に従って、抽出工程に先立って、粗粒土と細粒土の分離工程を経ることにより、Ｃｓ除去率が著しく向上することが分かる。
【実施例】
【００２６】
以下、実施例により本発明を具体的に説明する。
以下の実施例、参考例において使用した試験手順、試験機材は、次のようなものであった。
［Ｃｓ抽出試験］
［機材］
以下の機材を使用した：
・ゲルマニウム半導体検出器
・恒温器
・反応装置（冷却管、攪拌機、反応容器、温調器付きマントルヒーターを組合わせたもの）
・遠心分離機
・濾過器
・溶出振とう試験装置（環境省告示型）
【００２７】
［試験手順］
１．土壌前処理、試料土壌の放射線量測定
（１）中小礫、木片等を取り除く。
（２）土塊、団粒を粗砕する。
（３）低濃度Ｃｓ汚染土壌（以下、単に「汚染土壌」ともいう。）を２ｍｍの篩にかける。
（４）篩通過後の土壌を十分に混合し、試料土壌とする。
（５）試料土壌を採取し、含水率を分析する。
（６）試料土壌を測定容器（１００ｍｌ）に移し、ゲルマニウム半導体検出器を用いて放射線量測定を行う。
尚、放射線量測定は以下のようにして行った。
サーベイメータの検出器部をスタンドに固定し、バックグラウンドの放射線量を測定（３回測定の平均値）し、Ｃｓ測定後の試料を検出器上に置いて、放射線量を測定（５回測定の平均値）した。試料の放射線量はバックグラウンドを差し引いた値とした。サーベイメータの仕様を以下に示す：
メーカー：日立アロカメディカル
機器名：エネルギー補償型γ線用シンチレーションサイベーメーターＴＣＳ−１７２Ｂ
検出器：ＮａＩ（ＴＩ）シンチレーション
測定レンジ：バックグラウンド〜３０μＳｖ／ｈ
エネルギー範囲：５０ｋｅｖ〜３ＭｅＶ
【００２８】
２．粗粒土前処理及び粗粒土の放射線量測定
（１）ビーカーに試料土壌と純水を入れ、ゆっくり手で振り３０秒間、穏やかに攪拌する。１分間静置し、濁水を除去する。
（２）上記（１）を１０回繰り返し（細粒土を除去し）、得られた試料土壌を粗粒土とする。
（３）粗粒土を採取し、含水率を分析する。
（４）粗粒土を測定容器に移し、試料土壌の場合と同様に、ゲルマニウム半導体検出器を用いて放射線量測定を行う。
【００２９】
３．抽出操作
（１）粗粒土を耐熱ＰＰバッグに入れて、９０℃の恒温器内で温める。
（２）濃硝酸から３％Ｗ／Ｖ硝酸水溶液を調製する。
（３）反応容器に上記硝酸水溶液を所定量入れ、攪拌機で攪拌しながら、９０℃に加熱する。
（４）反応容器に、温めた粗粒土を所定量入れ、４５分間、攪拌する。
（５）反応容器を水冷する。
（６）反応容器内の液を遠心管に移し、遠心分離機を用いて、遠心分離（３０００ｒｐｍ、１０分間）する。
（７）遠心後の上澄み液と沈殿土壌を各々全量回収する。
【００３０】
４．遠心後上澄み液、濾過液の放射線量測定
（１）遠心後上澄み液を測定容器に移し、放射線量を測定する。
（２）遠心後上澄み液を、濾過器を用いて、濾過する。
（３）濾過後の回収液を濾過液とする。
（４）濾過液の放射線量を測定する。
【００３１】
５．水洗液、洗浄粗粒土のＣｓ測定
（１）遠心後の沈殿土壌に所定量の水を加える。
（２）溶出振とう試験装置を用いて、１０分間振とうする。
（３）振とう後、遠心管に移し、遠心分離（３０００ｒｐｍ、１０分間）する。
（４）遠心後の上澄み液を全量回収し、水洗液とする。
（５）遠心後の土壌を全量回収し、洗浄粗粒土とする。
（６）水洗液の放射線量を測定する。
（７）洗浄粗粒土を採取し、含水率を測定する。
（８）洗浄粗粒土の放射線量を測定する。
尚、上記試験手順１〜５において、低濃度Ｃｓ汚染土壌中に、中小礫、木片等があった場合には、これらを取り除いた。加熱攪拌中に発生する蒸気は、冷却管を用いて還流して液量の変化を抑え、放射線量の測定はできるだけ速やかに行った。濾過には、０．４５μｍのメンブランフィルターを用い、試験中に回収した土壌や水は、充分に混合して均一化した。
【００３２】
［実施例１］
図１に示す手順に従い、放射性セシウム汚染土壌を、粗粒土と細粒土に分離した。図１に示すように、放射性セシウム汚染土壌の放射線量はＣｓ：３８９３０Ｂｑ／ｋｇ−ｄｒｙであり、粗粒土の放射線量はＣｓ：６８５６Ｂｑ／ｋｇ−ｄｒｙであったため、細粒土の放射線量はＣｓ：３２０７３Ｂｑ／ｋｇ−ｄｒｙと計算さるので、粗粒土：細粒土のＣｓ存在比は、１７．６％：８２．４％であった。他方、粗粒土：細粒土の質量比は、８０．７％：１９．３％であった。したがって、細粒土を除去し、これを処分すれば、粗粒土を細粒土との分離工程において、８２．４％のＣｓ放射線量が除去することができる。
粗粒土に残存する６８５６Ｂｑ／ｋｇ−ｄｒｙのＣｓは、３％硝酸による固液比２１、抽出温度９０℃、抽出時間４５分、その後の水洗により、最終的に、洗浄粗粒土中に１２６７Ｂｑ／ｋｇ−ｄｒｙのＣｓが残存することになるので、粗粒土の抽出工程における抽出効率は８１．５％となる。したがって、放射性セシウム汚染土壌と最終的に得られる洗浄粗粒土との関係において、Ｃｓ除去率を定義すれば（以下の表１参照）、粗粒土と細粒土の分離工程、その後の、粗粒土の抽出工程により、全体として、放射性セシウム汚染土壌中のＣｓの９６．７％が除去されることとなる。この関係を、以下の表１に示す。
【００３３】
【表１】
0006025409.tif 000002
【００３４】
［実施例２］
実施例１と同様に、放射性セシウム汚染土壌１を洗浄した。但し、抽出工程における固液比を５．３とした。
表１に示すように、Ｃｓ除去率は、全体として、８８．８％となった。
【００３５】
［実施例３］
実施例１と同様に、放射性セシウム汚染土壌を洗浄した。但し、実施例１とは異なる汚染土壌２を用い、抽出後の水洗を実施しなかった。
表１と以下の表２に示すように、Ｃｓ除去率は、全体として、９５．１％となった。
【００３６】
【表２】
0006025409.tif 000003
【００３７】
［実施例４］
実施例１と同様に、放射性セシウム汚染土壌を洗浄した。但し、実施例１とは異なる汚染土壌２を用い、抽出後の水洗を実施せず、さらに抽出時間として、４５分間に加え、１０分間のものも実施した。
表２に示すように、Ｃｓ除去率は、全体として、抽出時間１０分間の場合、９３．３％、抽出時間４５分間の場合、９５．６％となった。
【００３８】
［実施例５］
実施例１と同様に、放射性セシウム汚染土壌を洗浄した。但し、実施例１とは異なる汚染土壌２を用い、抽出後の水洗を実施せず、さらに抽出時間として、４５分間に加え、２５分間のものも実施した。
表２に示すように、Ｃｓ除去率は、全体として、抽出時間２５分間の場合、９５．０％、抽出時間４５分間の場合、９６．１％となった。
【００３９】
表１と表２中のデータを用いて、固液比：Ｃｓ除去率の関係、及び抽出時間：Ｃｓ除去率の関係を、それぞれ、図７と図８に示す。
図７から、抽出工程における固液比が高い程Ｃｓ抽出率が高いことが分かる。
また、図８から、抽出時間が長い程、Ｃｓ抽出率が高いことが分かる。但し、Ｃｓ抽出率の向上は緩やかである。
【００４０】
［参考例］
図６に、粗粒土と細粒土の分離工程を経ずに、放射性セシウム汚染土壌を、３％硝酸による固液比５．３と２１、抽出温度９０℃、抽出時間４５分、その後の水洗により、洗浄した例を示す。全体として、放射性セシウム汚染土壌中のＣｓ除去率は、固液比２１の場合、４２％、固液比５．３の場合、２４％となった。
したがって、抽出工程に先立って、粗粒土と細粒土の分離工程を経ることにより、Ｃｓ除去率が著しく向上することが確認できた。
【００４１】
［実施例６］
実施例５と同様に、放射性セシウム汚染土壌を洗浄した。但し、抽出温度を２０℃とした（図９参照）。
また、以下に示す実施例１１と１２において、それぞれ、抽出温度９０℃と６０℃で放射性セシウム汚染土壌を洗浄した。
以下の表３及び図１０に示すように、Ｃｓ抽出率は１７．８〜６１．８％であり、温度が高い程、Ｃｓ抽出率が高くなる比例関係にあり、Ｃｓ除去率は全体として８７．２〜９６．１％となった。
【００４２】
【表３】
0006025409.tif 000004
【００４３】
［実施例７〜１０]
実施例７〜１０において、それぞれ、図１１〜１４に示すように、酸性薬液として0.5mol/LのH2SO4、HNO3、K2SO4、HＣｌをそれぞれ用いて放射性セシウム汚染土壌を洗浄した。
以下の表４及び図１５に示すように、H2SO4、HNO3、K2SO4、HClのＣｓ除去率は、それぞれ、７１．６、６６．８、２３．５、６８．２％であり、強酸である硫酸、硝酸、塩酸のＣｓ抽出率はいずれも７０％付近でありほぼ同じであった。
【００４４】
【表４】
0006025409.tif 000005
【００４５】
［実施例１１と１２］
抽出温度とＣｓ抽出率との関係を調べるために、図１７と図１８にそれぞれ示すように実施例１１と１２において放射性セシウム汚染土壌を洗浄した。
結果は表３に前記した。
【００４６】
［実施例１３と１４］
酸性薬液（H2SO4)の濃度とＣｓ抽出率との関係を調べるために、図１９と図２０にそれぞれ示すように実施例１３と１４において放射性セシウム汚染土壌を洗浄した。
以下の表５及び図１６に示すように、酸性薬液の濃度が高い程、Ｃｓ抽出率は高くなることが分かった。0.05mol/L H2SO4を用いた場合、Ｃｓ抽出率は２６．１％、Ｃｓ除去率は全体として８４．４％であったのに対し、0.5mol/L H2SO4を用いた場合、Ｃｓ抽出率は７１．６％、Ｃｓ除去率は全体として９６．４％であった。
【００４７】
【表５】
0006025409.tif 000006
【００４８】
以上の結果から、表４に示す結果を参酌すれば、Ｃｓ除去率を全体として高めるためには、Ｃｓ抽出率が７０％付近であった硫酸、硝酸、塩酸といった酸性薬液を使用することが好ましいことが分かる。
【産業上の利用可能性】
【００４９】
本発明により、放射性セシウム汚染土壌から、約２０％の質量比である細粒土を取り除けば、放射性セシウムの８０％を除去することができ、さらに、約８０％の質量比である粗粒土中の残存放射性セシウム２０％を酸性薬液で一定条件下で抽出することにより、全体として、放射性セシウムが約９０％以上除去された約８０質量％の洗浄土を回収することができる。よって、本発明は、放射性セシウム汚染土壌の洗浄方法として好適に利用可能である。
【図１】
0006025409.tif 000007
【図２】
0006025409.tif 000008
【図３】
0006025409.tif 000009
【図４】
0006025409.tif 000010
【図５】
0006025409.tif 000011
【図６】
0006025409.tif 000012
【図７】
0006025409.tif 000013
【図８】
0006025409.tif 000014
【図９】
0006025409.tif 000015
【図１０】
0006025409.tif 000016
【図１１】
0006025409.tif 000017
【図１２】
0006025409.tif 000018
【図１３】
0006025409.tif 000019
【図１４】
0006025409.tif 000020
【図１５】
0006025409.tif 000021
【図１６】
0006025409.tif 000022
【図１７】
0006025409.tif 000023
【図１８】
0006025409.tif 000024
【図１９】
0006025409.tif 000025
【図２０】
0006025409.tif 000026